(57)【要約】【課題】中空絶縁体のブラケットからの剥離を抑制することができる異物検知センサの固定構造を提供する。【解決手段】異物検知センサ１３は、長尺状をなすとともにその外周面に長手方向に延びる帯状の貼着面２２ｅを有し内部に複数の電極線を保持する中空絶縁体２２を備えている。そして、異物検知センサ１３は、異物から外力を受けて弾性変形されることにより異物を検知する。この異物検知センサ１３は、湾曲した湾曲部１２ｂを備えた長尺状のブラケット１２に対し貼着面２２ｅと同ブラケット１２の間に介在された両面テープ５１にて固定される。ブラケット１２は、湾曲部１２ｂにブラケット側係合部１２ｃを有する。異物検知センサ１３は、貼着面２２ｅと直交する方向にブラケット側係合部１２ｃと係合するセンサ側係合部２７を有する。【選択図】図７
2014175151.tif 000002
【特許請求の範囲】
【請求項１】
長尺状をなすとともにその外周面に長手方向に延びる帯状の貼着面を有し内部に複数の電極線を保持する中空絶縁体を備え異物から外力を受けて弾性変形されることにより前記異物を検知する長尺状の異物検知センサを、湾曲した湾曲部を備えた長尺状のブラケットに対し前記貼着面と前記ブラケットの間に介在された接着部材にて固定する異物検知センサの固定構造であって、
前記ブラケットは、前記湾曲部にブラケット側係合部を有し、
前記異物検知センサは、前記貼着面と直交する方向に前記ブラケット側係合部と係合するセンサ側係合部を有することを特徴とする異物検知センサの固定構造。
【請求項２】
請求項１に記載の異物検知センサの固定構造において、
前記センサ側係合部は、前記中空絶縁体に一体に形成されていることを特徴とする異物検知センサの固定構造。
【請求項３】
請求項１又は請求項２に記載の異物検知センサの固定構造において、
前記ブラケット側係合部は、前記湾曲部の周方向の中央を通り径方向に延びる仮想線の両側に設けられていることを特徴とする異物検知センサの固定構造。
【請求項４】
請求項１又は請求項２に記載の異物検知センサの固定構造において、
前記ブラケット側係合部は、前記湾曲部の周方向の中央を通り径方向に延びる仮想線を含む位置に設けられていることを特徴とする異物検知センサの固定構造。
【請求項５】
請求項１乃至請求項４の何れか１項に記載の異物検知センサの固定構造において、
前記センサ側係合部は、前記貼着面に形成されており、
前記ブラケット側係合部は、前記ブラケットにおける前記貼着面と対向する部分に設けられていることを特徴とする異物検知センサの固定構造。
【請求項６】
請求項１乃至請求項４の何れか１項に記載の異物検知センサの固定構造において、
前記ブラケットは、車両の開口部の周縁部及び前記開口部を開閉するドアパネルの周縁部の何れか一方に固定されるものであり、
前記ブラケット側係合部は、前記ブラケット上に配置された前記中空絶縁体における前記貼着面の幅方向の両側のうち、前記ブラケットが固定される前記開口部の内周縁若しくは前記ドアパネルの外周縁から遠い側に設けられていることを特徴とする異物検知センサの固定構造。
【発明の詳細な説明】
【技術分野】
【０００１】
本発明は、異物検知センサの固定構造に関するものである。
【背景技術】
【０００２】
従来、モータ等の駆動力により電動でドアパネルを移動させて車体に形成された開口部（乗降口、後部開口部等）を開閉する電動ドア開閉装置を車両に搭載することがある。そして、電動ドア開閉装置には、開口部の周縁部とドアパネルとの間への異物の挟み込みを検知するために、開口部の周縁部とドアパネルとの間に存在する異物を検知するための異物検知センサを備えたものがある（例えば特許文献１参照）。
【０００３】
特許文献１に記載された異物検知センサは、長尺状をなしており、長手方向に延びる複数の電極線を内部に保持した長尺状の中空絶縁体を有する。この中空絶縁体は弾性を有する。そして、特許文献１には、中空絶縁体の外周面に該中空絶縁体の長手方向に延びる帯状の貼着面を設け、この貼着面に貼着された接着片にて中空絶縁体を取付け場所に固定する例が記載されている。また、異物検知センサをドアパネルの周縁部若しくは車体の開口部の周縁部に固定する場合には、ドアパネルの周縁部若しくは車体の開口部の周縁部に固定されるブラケットに接着片にて中空絶縁体を固定し、該ブラケットを介して異物検知センサをドアパネルの周縁部若しくは車体の開口部の周縁部に固定することがある。このように、接着片を使用して異物検知センサをブラケットに固定すると、異物検知センサのブラケットへの固定を容易且つ安価に行うことができる。
【先行技術文献】
【特許文献】
【０００４】
【特許文献１】米国特許出願公開２０１１／０１６９５１３号明細書
【発明の概要】
【発明が解決しようとする課題】
【０００５】
しかしながら、ドアパネルの周縁部等、車両において異物検知センサを取り付ける取付け場所は、湾曲した湾曲部を有することが多い。そのため、この取付け場所に固定されるブラケットも当該取付け場所の形状に応じて湾曲部を有する形状となる。そして、湾曲部を有するブラケットの形状に応じて中空絶縁体を湾曲させて接着片にてブラケットに貼着すると、中空絶縁体における湾曲された部分は、ブラケットから浮き上がろうとするため、同ブラケットから剥離する虞がある。また、中空絶縁体における湾曲された部分では、中空絶縁体の湾曲に接着片が追従しきれず、同接着片が中空絶縁体から剥離してしまったり、同接着片に皺が生じたりすることがある。そこで、接着片に切り込みを入れることにより、接着片が中空絶縁体の湾曲に追従し易くなるようにすることがある。しかしながら、接着片の粘着力が弱まってしまうため、中空絶縁体における湾曲された部分が、ブラケットから浮き上がりやすくなってしまい、同ブラケットから剥離する虞がある。
【０００６】
本発明は、上記課題を解決するためになされたものであって、その目的は、中空絶縁体のブラケットからの剥離を抑制することができる異物検知センサの固定構造を提供することにある。
【課題を解決するための手段】
【０００７】
上記課題を解決する異物検知センサの固定構造は、長尺状をなすとともにその外周面に長手方向に延びる帯状の貼着面を有し内部に複数の電極線を保持する中空絶縁体を備え異物から外力を受けて弾性変形されることにより前記異物を検知する長尺状の異物検知センサを、湾曲した湾曲部を備えた長尺状のブラケットに対し前記貼着面と前記ブラケットの間に介在された接着部材にて固定する異物検知センサの固定構造であって、前記ブラケットは、前記湾曲部にブラケット側係合部を有し、前記異物検知センサは、前記貼着面と直交する方向に前記ブラケット側係合部と係合するセンサ側係合部を有する。
【０００８】
この構成によれば、中空絶縁体が湾曲されることによってブラケットから浮き上がって剥離する虞のある湾曲部に、ブラケット側係合部が設けられている。更に、異物検知センサには、貼着面と直交する方向に当該ブラケット側係合部と係合するセンサ側係合部が設けられている。従って、ブラケット側係合部とセンサ側係合部とが係合することにより、湾曲部上で異物検知センサが同湾曲部から浮き上がることを抑制できるため、湾曲部から中空絶縁体が剥離することを抑制することができる。
【０００９】
上記異物検知センサの固定構造において、前記センサ側係合部は、前記中空絶縁体に一体に形成されていることが好ましい。
この構成によれば、センサ側係合部は、接着部材にてブラケットに固定される中空絶縁体に一体に形成されているため、センサ側係合部を設けたことによる部品点数の増加を防ぐことができる。
【００１０】
上記異物検知センサの固定構造において、前記ブラケット側係合部は、前記湾曲部の周方向の中央を通り径方向に延びる仮想線の両側に設けられていることが好ましい。
この構成によれば、仮想線の両側にブラケット側係合部を設けることにより、湾曲部の周方向の両端部に近いところにブラケット側係合部を設けることができる。そして、湾曲部の周方向の両端部に近いところでブラケット側係合部とセンサ側係合部とが貼着面と直交する方向に係合することになるため、湾曲部上で異物検知センサが同湾曲部から浮き上がることをより効果的に抑制できる。従って、湾曲部から中空絶縁体が剥離することをより効果的に抑制することができる。
【００１１】
上記異物検知センサの固定構造において、前記ブラケット側係合部は、前記湾曲部の周方向の中央を通り径方向に延びる仮想線を含む位置に設けられていることが好ましい。
この構成によれば、ブラケット側係合部を仮想線を含む位置に設けることにより、ブラケット側係合部の数が少ない場合であっても、湾曲部上で異物検知センサが同湾曲部から浮き上がることを効果的に抑制できる。従って、湾曲部から中空絶縁体が剥離することを効果的に抑制することができる。
【００１２】
上記異物検知センサの固定構造において、前記センサ側係合部は、前記貼着面に形成されており、前記ブラケット側係合部は、前記ブラケットにおける前記貼着面と対向する部分に設けられていることが好ましい。
【００１３】
この構成によれば、センサ側係合部は、中空絶縁体が接着部材にてブラケットに固定される貼着面に形成されている。そして、ブラケット側係合部は、ブラケットにおける中空絶縁体の貼着面と対向する部分に形成されている。即ち、ブラケット側係合部及びセンサ側係合部は、中空絶縁体が接着部材にてブラケットに固定された状態において、外部から見え難い位置に形成されている。従って、ブラケット及び該ブラケットに固定された異物検知センサの見栄えがブラケット側係合部及びセンサ側係合部によって損なわれることが抑制される。
【００１４】
上記異物検知センサの固定構造において、前記ブラケットは、車両の開口部の周縁部及び前記開口部を開閉するドアパネルの周縁部の何れか一方に固定されるものであり、
前記ブラケット側係合部は、前記ブラケット上に配置された前記中空絶縁体における前記貼着面の幅方向の両側のうち、前記ブラケットが固定される前記開口部の内周縁若しくは前記ドアパネルの外周縁から遠い側に設けられていることが好ましい。
【００１５】
この構成によれば、ブラケットが固定される車両の開口部の周縁部若しくはドアパネルの周縁部に近接する異物が、ブラケット側係合部若しくはセンサ側係合部に接触することを抑制できる。従って、異物検知センサによる異物の感知感度を維持したまま湾曲部上で異物検知センサが同湾曲部から浮き上がることを抑制できる。
【発明の効果】
【００１６】
本発明の異物検知センサの固定構造によれば、中空絶縁体のブラケットからの剥離を抑制することができる。
【図面の簡単な説明】
【００１７】
【図１】異物検知センサを搭載した車両の概略図。
【図２】電動バックドア装置の電気的構成を示すブロック図。
【図３】ブラケットの概略図。
【図４】センサ部の斜視図。
【図５】ブラケットに固定された異物検知センサの断面図。
【図６】ブラケットに固定された異物検知センサの断面図（図７（ｂ）におけるＡ−Ａ断面図）。
【図７】（ａ）及び（ｂ）はブラケットに固定された異物検知センサの側面図。
【図８】別の形態の固定構造にてブラケットに固定された異物検知センサの部分拡大図。
【図９】別の形態の固定構造にてブラケットに固定された異物検知センサの断面図（図８におけるＢ−Ｂ断面図）。
【図１０】別の形態の固定構造にてブラケットに固定された異物検知センサの部分拡大図。
【図１１】別の形態の固定構造にてブラケットに固定された異物検知センサの部分拡大図。
【図１２】別の形態の固定構造にてブラケットに固定された異物検知センサの断面図（図１１におけるＣ−Ｃ断面図）。
【発明を実施するための形態】
【００１８】
以下、異物検知センサの固定構造の一実施形態について説明する。
図１に示すように、車両１は、電動バックドア装置２を搭載している。車両１を構成する車体３の後部には後部開口部４が形成されている。後部開口部４における上下方向の略中央部よりも下方の部位は、後部開口部４における上下方向の略中央部よりも上方の部位よりも左右方向の幅が狭く形成されている。この後部開口部４は、該後部開口部４に対応した形状をなすドアパネル５によって開閉される。
【００１９】
ドアパネル５における上下方向の略中央部よりも下端側の部位（図１においては上側の約半分の部位）は、ドアパネル５における上下方向の略中央部よりも上端側の部位（図１においては下側の約半分の部位）よりも左右方向の幅が狭く形成されている。そのため、ドアパネル５の左右方向の両端は非直線状をなしている。このドアパネル５は、その上端部が車体３の後部側面の上端部に回動可能に連結されており、車体３との連結部分を回動中心として、該ドアパネル５の下端部が上下方向に移動するように回動可能である。尚、ドアパネル５は、全閉位置と全開位置との間で移動される。全閉位置は、ドアパネル５が後部開口部４を完全に閉鎖する位置であり、全開位置は、ドアパネル５が後部開口部４を完全に開放する位置である。
【００２０】
図１及び図２に示すように、ドアパネル５には、アクチュエータ６を備え車体３側に配置された駆動機構（図示略）が接続されている。電動バックドア装置２では、このアクチュエータ６が駆動されると、ドアパネル５が上下方向に回動されて後部開口部４を開閉するようになっている。
【００２１】
図２に示すように、前記アクチュエータ６は、モータ７と、該モータ７の回転を減速して出力する減速機構（図示略）とを備えている。また、アクチュエータ６内には、モータ７の回転を検出する位置検出装置８が配置されている。位置検出装置８は、例えば、モータ７の回転軸（図示略）若しくは前記減速機構を構成する減速ギヤ（図示略）と一体回転するように設けられた磁石と、該磁石に対向配置されたホールＩＣ（図示略）とから構成されている。そして、ホールＩＣは、位置検出信号として、磁石の回転による該磁石の磁界の変化に応じたパルス信号を出力する。
【００２２】
また、電動バックドア装置２は、ドアパネル５の開閉を指示するための操作スイッチ９を備えている。図１及び図２に示すように、この操作スイッチ９は、車両１の搭乗者等によって後部開口部４を開放するように操作されると、後部開口部４を開放するようにドアパネル５を回動させる旨の開信号を出力する。一方、操作スイッチ９は、搭乗者等によって後部開口部４を閉鎖するように操作されると、後部開口部４を閉鎖するようにドアパネル５を回動させる旨の閉信号を出力する。この操作スイッチ９は、車室内の所定箇所（ダッシュボード等）、ドアパネル５のドアレバー（図示略）、イグニッションキーと共に携行される携行品（図示略）等に設けられている。
【００２３】
また、電動バックドア装置２は、ドアパネル５の周縁部と、後部開口部４におけるドアパネル５の周縁部と対向する周縁部との間に存在する異物を検知するための異物検知装置１１を備えている。異物検知装置１１は、ブラケット１２を介してドアパネル５の周縁部に固定された異物検知センサ１３と、該異物検知センサ１３に電気的に接続された通電検知部１４とを備えている。
【００２４】
図１及び図３に示すように、前記ブラケット１２は、ドアパネル５における後部開口部４の周縁部と対向する周縁部に固定されており、詳しくは、ドアパネル５の内側面（即ちドアパネル５の車室側の側面）における左右方向の両端部にそれぞれ固定されている。各ブラケット１２は、ドアパネル５の左右方向の両端部に沿って同ドアパネル５の上端から下端まで延びる帯状をなしている。そして、ブラケット１２における厚さ方向の一端面は、異物検知センサ１３が固定される接着面１２ａとなっている。また、２つのブラケット１２は、非直線状をなすドアパネル５の左右方向の両端部の形状に応じて湾曲した湾曲部１２ｂを有する。図３に示すように、この湾曲部１２ｂは、ブラケット１２の厚さ方向から見た形状が円弧状をなしている。図３には、湾曲部１２ｂの周方向の両側の端を二点鎖線にて図示するとともに、同湾曲部１２ｂの周方向の中央を通り径方向に延びる仮想線Ｌ１を一点鎖線にて図示している。この湾曲部１２ｂは、即ち２本の二点鎖線の間の部分は、一定の曲率で湾曲している。即ち、湾曲部１２ｂにおいては、該湾曲部１２ｂの周方向の一端から他端まで曲率が変化していない。
【００２５】
ブラケット１２の湾曲部１２ｂには、ブラケット側係合部１２ｃが設けられている。ブラケット側係合部１２ｃは、湾曲部１２ｂの周方向の中央部に設けられている。このブラケット側係合部１２ｃは、前記仮想線Ｌ１を含む位置、即ち前記仮想線Ｌ１上に形成されブラケット１２を厚さ方向に貫通した孔である。また、ブラケット側係合部１２ｃは、ブラケット１２の幅方向の略中央部に設けられている。そして、ブラケット側係合部１２ｃは、ブラケット１２の厚さ方向から見た形状が円形状をなしている。更に、ブラケット側係合部１２ｃは、ブラケット１２の厚さ方向から見ると、その中心Ｏ１が仮想線Ｌ１上に位置する。
【００２６】
また、各ブラケット１２の長手方向の一端部（ドアパネル５の上端側となる端部）に第１係合部１２ｄが形成されるとともに、各ブラケット１２の長手方向の他端部（ドアパネル５の下端側となる端部）に第２係合部１２ｅが形成されている。尚、図３においては、図１に合わせて、ブラケット１２におけるドアパネル５の上端側となる端部を下方に図示し、同ブラケット１２におけるドアパネル５の下端側となる端部を上方に図示している。第１係合部１２ｄは、ブラケット１２の長手方向の一端からブラケット１２の長手方向の中央部に向かって切り込まれたスリット状をなしている。そして、第１係合部１２ｄは、ブラケット１２を厚さ方向に貫通するとともに同ブラケット１２の長手方向の中央部と反対側に開口している。更に、第１係合部１２ｄは、ブラケット１２の長手方向の一端部においてブラケット１２の幅方向の略中央部に形成されている。また、前記第２係合部１２ｅは、ブラケット１２の長手方向の他端からブラケット１２の長手方向の中央部に向かって切り込まれたスリット状をなしている。そして、第２係合部１２ｅは、ブラケット１２を厚さ方向に貫通するとともに同ブラケット１２の長手方向の中央部と反対側に開口している。更に、第２係合部１２ｅは、ブラケット１２の長手方向の他端部においてブラケット１２の幅方向の略中央部に形成されている。
【００２７】
図１に示すように、前記異物検知センサ１３は長尺な紐状をなしている。この異物検知センサ１３は、長尺な紐状をなすセンサ部２１を備えている。図４に示すように、センサ部２１を構成する長尺状の中空絶縁体２２（保持部材）は、弾性変形可能な絶縁体（軟質の樹脂材料やエラストマ等）により形成されている。中空絶縁体２２は、円筒状をなす内側絶縁体２２ａと、該内側絶縁体２２ａの外周を被覆する外側絶縁体２２ｂとから構成されている。
【００２８】
図４及び図５に示すように、内側絶縁体２２ａは、長尺な紐状をなすとともにその外周面が円筒状をなしている。そして、内側絶縁体２２ａの内側には、該内側絶縁体２２ａの長手方向に沿って延びる中空孔２２ｃが形成されている。この中空孔２２ｃは、内側絶縁体２２ａの長手方向と直交する断面において周方向の４箇所に外周側に向かって凹設された離間凹部２２ｄを内側絶縁体２２ａの断面における略中央部で連結した形状をなすことにより、内側絶縁体２２ａの長手方向と直交する方向の断面形状が略Ｘ字状をなしている。そして、中空孔２２ｃは、４つの離間凹部２２ｄがそれぞれ螺旋状となるように内側絶縁体２２ａの長手方向（中空絶縁体２２の長手方向に同じ）に沿って延びている。この中空孔２２ｃを内側絶縁体２２ａに有することにより中空絶縁体２２は中空状をなしている。
【００２９】
また、内側絶縁体２２ａの内側には、該内側絶縁体２２ａにて保持される２本の電極線２３，２４が互いに離間して対向配置されている。各電極線２３，２４は、導電性細線を撚り合わせて形成され可撓性を有する中心電極２５と、導電性及び弾性を有し中心電極２５の外周を被覆する円筒状の導電被覆層２６とから構成されている。そして、２つの電極線２３，２４は、内側絶縁体２２ａの内側で、周方向に並ぶ４つの前記離間凹部２２ｄの間であって、電極線２３と電極線２４との間に離間凹部２２ｄが２つずつ介在される位置に配置されている。更に、２本の電極線２３，２４は、内側絶縁体２２ａの内側に周方向に等角度間隔（本実施形態では１８０°間隔）に配置されるとともに、互いの間隔（周方向の間隔）を一定に維持したまま、螺旋状に延びる離間凹部２２ｄに沿って内側絶縁体２２ａの長手方向に螺旋状に延びている。また、電極線２３，２４は、その一部が内側絶縁体２２ａの内側で同内側絶縁体２２ａに埋設されることにより、同内側絶縁体２２ａによって保持されている。そして、２本の電極線２３，２４は、内側絶縁体２２ａの長手方向の何れの位置においても中空孔２２ｃを介して内側絶縁体２２ａの長手方向と直交する方向（即ち内側絶縁体２２ａの直径方向）に対向している。
【００３０】
前記外側絶縁体２２ｂは、内側絶縁体２２ａの外周面に一体成形されており、内側絶縁体２２ａの外周面全体を被覆している。そして、外側絶縁体２２ｂの外周面、即ち中空絶縁体２２の外周面には、中空絶縁体２２の長手方向に沿って延びる帯状の貼着面２２ｅが形成されている。この貼着面２２ｅは、中空絶縁体２２の長手方向の一端から他端に亘って形成されている。更に、貼着面２２ｅは、中空絶縁体２２の長手方向と直交する断面（即ち、図５に示す断面）において直線状をなしている。また、外側絶縁体２２ｂの外周面は、中空絶縁体２２の長手方向と直交する断面において貼着面２２ｅ側に開口する略Ｕ字状をなす部分を有する。そして、このような中空絶縁体２２は、長手方向と直交する断面の形状が略Ｄ形状をなしている。
【００３１】
図６及び図７（ｂ）に示すように、中空絶縁体２２には、前記ブラケット１２に設けられたブラケット側係合部１２ｃと係合するセンサ側係合部２７が設けられている。センサ側係合部２７は、中空絶縁体２２がブラケット１２の接着面１２ａ上に配置されたときに、同中空絶縁体２２において湾曲部１２ｂ上に配置される部分に一体に形成されている。本実施形態では、センサ側係合部２７は、貼着面２２ｅにおいて、異物検知センサ１３をブラケット１２に固定するときに湾曲部１２ｂと対向する部分に形成されている。そして、センサ側係合部２７は、弾性変形可能な絶縁体（軟質の樹脂材料やエラストマ等）から形成されている。センサ側係合部２７は、貼着面２２ｅから延びる係合軸２７ａと、該係合軸２７ａの先端部に該係合軸２７ａと一体に設けられた係止部２７ｂとから構成されている。
【００３２】
係合軸２７ａは、貼着面２２ｅから同貼着面２２ｅと直交する方向に突出した円柱状をなしている。この係合軸２７ａの長さは、ブラケット１２の厚さよりも長く形成されている。また、係合軸２７ａの外径は、前記ブラケット側係合部１２ｃの内径と略等しく形成されている。更に、係合軸２７ａは中空状をなしている。
【００３３】
前記係止部２７ｂは傘状をなしている。そして、係止部２７ｂの外周面は、係合軸２７ａの先端部から同係合軸２７ａの基端側に近づくに連れてその直径が大きくなる略円錐形状をなしている。また、係止部２７ｂにおける最も係合軸２７ａの基端に近い部分は、最も外径が大きくなっており、ブラケット側係合部１２ｃの内径よりも大きくなっている。
【００３４】
上記したセンサ部２１は押出し成形により形成されている。詳しくは、センサ部２１は、断面円形状のダミー線を複数本利用して形成される。まず、中心となるダミー線の外周に、４本のダミー線と電極線２３，２４とを螺旋状に巻き付ける。このとき、電極線２３と電極線２４との間に２本ずつダミー線が介在されるようにして中心となるダミー線の外周に、４本のダミー線と電極線２３，２４とを螺旋状に巻き付ける。その後、中心となるダミー線の外周に螺旋状に巻き付けられた４本のダミー線及び電極線２３，２４の外周に押出し成形により内側絶縁体２２ａを形成する。その後、内側絶縁体２２ａの外周に押出し成形により外側絶縁体２２ｂを形成する。これにより、中空絶縁体２２が完成する。その後、複数本のダミー線を内部に保持したままの中空絶縁体２２を、センサ側係合部２７を形成するための成形型内に配置する。そして、射出成形により中空絶縁体２２にセンサ側係合部２７を一体成形する。このとき、中空絶縁体２２の内部にはダミー線が配置されているため、中空絶縁体２２を潰すことなく（中空孔２２ｃを維持したまま）センサ側係合部２７を形成することができる。そして、センサ側係合部２７を形成した後に、中空絶縁体２２から複数本のダミー線を抜き取る。こうしてセンサ部２１が完成する。
【００３５】
図２に示すように、中空絶縁体２２の長手方向の片側端部（図２において左側の端部）を第１端部２２ｆとし、もう一方の片側端部（図２において右側の端部）を第２端部２２ｇとする。
【００３６】
図７（ｂ）に示すように、中空絶縁体２２の第１端部２２ｆには第１封止部材３１が設けられている。第１封止部材３１は絶縁性の樹脂材料にて形成されている。第１封止部材３１は、中空絶縁体２２の第１端部２２ｆとセンサ部２１の長手方向に隣り合う第１端末被覆部３１ａと、該第１端末被覆部３１ａと一体に形成された第１取付係合部３１ｂとから構成されている。
【００３７】
第１端末被覆部３１ａは、中空絶縁体２２の第１端部２２ｆを埋設しつつ同第１端部２２ｆに一体に形成されている。図２及び図４に示すように、中空絶縁体２２の第１端部２２ｆから電極線２３，２４の中心電極２５がそれぞれ引き出されている。更に、中空絶縁体２２の第１端部２２ｆから引き出された２本の電極線２３，２４の中心電極２５は、抵抗器３２を介して電気的に接続されている。そして、第１端末被覆部３１ａは、第１端部２２ｆから引出された電極線２３，２４及び抵抗器３２を内部に埋設して封止している。また、図７（ａ）に示すように、第１端末被覆部３１ａの外形形状は、中空絶縁体２２の外形形状を一回り大きくした形状に形成されており、センサ部２１の長手方向から見た形状が略Ｄ形状をなしている。そして、第１端末被覆部３１ａにおける中空絶縁体２２の第１端部２２ｆ側の端部は、同第１端部２２ｆに液密且つ気密に密着している。
【００３８】
図７（ａ）及び図７（ｂ）に示すように、第１取付係合部３１ｂは、第１端末被覆部３１ａにおける貼着面２２ｅの前方側となる端部に一体に形成されている。この第１取付係合部３１ｂは、第１端末被覆部３１ａの外周面から貼着面２２ｅの前方側（図７（ｂ）において貼着面２２ｅの下方側）に向かって中空絶縁体２２の外周面よりも外側に突出するとともに、本実施形態では略直方体状をなしている。また、第１取付係合部３１ｂは、貼着面２２ｅよりも若干広い幅を有する。
【００３９】
また、第１取付係合部３１ｂには、一対の第１係合凹部３１ｃが形成されている。一対の第１係合凹部３１ｃは、第１取付係合部３１ｂにおける幅方向（貼着面２２ｅの幅方向と同方向）の両側に形成されている。そして、一対の第１係合凹部３１ｃは、第１取付係合部３１ｂの幅を狭めるように凹設された凹部状をなしている。更に、一対の第１係合凹部３１ｃは、センサ部２１の長手方向に沿って延びる溝状をなすとともに、第１取付係合部３１ｂをセンサ部２１の長手方向に貫通している。また、第１取付係合部３１ｂにおける第１係合凹部３１ｃが設けられた部分の幅（一対の第１係合凹部３１ｃの底面３１ｄ間の幅）は、前記第１係合部１２ｄの幅と略等しく形成されている。
【００４０】
図７（ｂ）に示すように、中空絶縁体２２の第２端部２２ｇには第２封止部材３３が設けられている。第２封止部材３３は絶縁性の樹脂材料にて形成されている。第２封止部材３３は、中空絶縁体２２の第２端部２２ｇとセンサ部２１の長手方向に隣り合う第２端末被覆部３３ａと、該第２端末被覆部３３ａと一体に形成された第２取付係合部３３ｂとを備えている。
【００４１】
第２端末被覆部３３ａは、中空絶縁体２２の第２端部２２ｇを埋設しつつ同第２端部２２ｇに一体に形成されている。図２に示すように、中空絶縁体２２の第２端部２２ｇから電極線２３，２４の中心電極２５（図４参照）がそれぞれ引き出されている。そして、電極線２３の中心電極２５にはリード線４１が電気的に接続されるとともに、電極線２４の中心電極２５にはリード線４２が電気的に接続されている。そして、図２及び図７（ｂ）に示すように、第２端末被覆部３３ａは、第２端部２２ｇから引出された電極線２３，２４及びリード線４１，４２における電極線２３，２４側の端部を内部に埋設して封止している。また、第２端末被覆部３３ａの外形形状は、前記第１端末被覆部３１ａと同様に中空絶縁体２２の外形形状を一回り大きくした形状に形成されており、センサ部２１の長手方向から見た形状が略Ｄ形状をなしている。そして、第２端末被覆部３３ａにおける中空絶縁体２２の第２端部２２ｇ側の端部は、同第２端部２２ｇに液密且つ気密に密着している。
【００４２】
図７（ｂ）に示すように、第２取付係合部３３ｂは、第２端末被覆部３３ａにおける貼着面２２ｅの前方側となる端部に一体に形成されている。この第２取付係合部３３ｂは、第２端末被覆部３３ａの外周面から貼着面２２ｅの前方側（図７（ｂ）において貼着面２２ｅの下方側）に向かって中空絶縁体２２の外周面よりも外側に突出するとともに、本実施形態では略直方体状をなしている。また、第２取付係合部３３ｂは、貼着面２２ｅよりも若干広い幅を有する。更に、第２取付係合部３３ｂは、前記リード線４１，４２における第２端末被覆部３３ａから出た部分を内部に埋設して封止している。そして、２本のリード線４１，４２は、第２取付係合部３３ｂにおけるセンサ部２１の長手方向の両端面のうちセンサ部２１に近い側の端面からセンサ部２１と平行をなすように同第２取付係合部３３ｂの外部に引き出されている。
【００４３】
また、第２取付係合部３３ｂには、前記一対の第１係合部１２ｄと同様の一対の第２係合凹部３３ｃが形成されている。一対の第２係合凹部３３ｃは、第２取付係合部３３ｂにおける幅方向（貼着面２２ｅの幅方向と同方向）の両側に形成されている。そして、一対の第２係合凹部３３ｃは、第２取付係合部３３ｂの幅を狭めるように凹設された凹部状をなしている。更に、一対の第２係合凹部３３ｃは、センサ部２１の長手方向に沿って延びる溝状をなすとともに、第２取付係合部３３ｂをセンサ部２１の長手方向に貫通している。また、第２取付係合部３３ｂにおける第２係合凹部３３ｃが設けられた部分の幅（一対の第２係合凹部３３ｃの底面３３ｄ間の幅）は、前記第２係合部１２ｅの幅と略等しく形成されている。
【００４４】
そして、図７（ａ）及び図７（ｂ）に示すように、異物検知センサ１３は、第１取付係合部３１ｂ及び第２取付係合部３３ｂがブラケット１２に係止された状態で同ブラケット１２に固定されている。第１取付係合部３１ｂは、同第１取付係合部３１ｂにおける一対の第１係合凹部３１ｃ間の部分（即ち一対の第１係合凹部３１ｃの底面３１ｄ間の部分）が第１係合部１２ｄに挿入されることによりブラケット１２に係合されている。更に、ブラケット１２における第１係合部１２ｄの両側の部分が一対の第１係合凹部３１ｃ内に挿入されている。従って、第１取付係合部３１ｂがブラケット１２に対して貼着面２２ｅと直交する方向に係止されるため、該第１取付係合部３１ｂが設けられた中空絶縁体２２の第１端部２２ｆは、ブラケット１２に対して貼着面２２ｅと直交する方向に係止されている。また、第２取付係合部３３ｂは、同第２取付係合部３３ｂにおける一対の第２係合凹部３３ｃ間の部分（即ち一対の第２係合凹部３３ｃの底面３３ｄ間の部分）が第２係合部１２ｅに挿入されることによりブラケット１２に係合されている。更に、ブラケット１２における第２係合部１２ｅの両側の部分が一対の第２係合凹部３３ｃ内に挿入されている。従って、第２取付係合部３３ｂがブラケット１２に対して貼着面２２ｅと直交する方向に係止されるため、該第２取付係合部３３ｂが設けられた中空絶縁体２２の第２端部２２ｇは、ブラケット１２に対して貼着面２２ｅと直交する方向に係止されている。
【００４５】
更に、センサ側係合部２７がブラケット側係合部１２ｃに係合されている。センサ側係合部２７は、係止部２７ｂがブラケット側係合部１２ｃを貫通するまで接着面１２ａ側から同ブラケット側係合部１２ｃに差し込まれている。そして、係合軸２７ａは、ブラケット側係合部１２ｃに対してブラケット１２の長手方向及び幅方向に係合している。更に、係止部２７ｂは、接着面１２ａと反対側（中空絶縁体２２が配置された側と反対側）でブラケット１２におけるブラケット側係合部１２ｃの周縁部に接触している。従って、センサ側係合部２７は、貼着面２２ｅと直交する方向にブラケット側係合部１２ｃと係合している。更に、ブラケット側係合部１２ｃにセンサ側係合部２７が係合することにより、中空絶縁体２２におけるセンサ側係合部２７付近の部分は、ブラケット１２に対して貼着面２２ｅと直交する方向に係止されている。そして、中空絶縁体２２は、貼着面２２ｅと接着面１２ａとの間に介在された両面テープ５１によってブラケット１２に貼着されている。このように、異物検知センサ１３は両面テープ５１にてブラケット１２に固定されている。
【００４６】
そして、図１及び図７（ｂ）に示すように、第２封止部材３３の第２取付係合部３３ｂから延びる２本のリード線４１，４２は、第１端部２２ｆの方（図７（ｂ）において左側）に向かってセンサ部２１と平行に延びた後に、ドアパネル５の内部に引き込まれている。図２に示すように、ドアパネル５の内部に引き込まれた２本のリード線４１，４２のうち一方のリード線４１は、同ドアパネル５の内部で通電検知部１４に電気的に接続されている。更に、同２本のリード線４１，４２のうち他方のリード線４２は、ドアパネル５の内部でグランドＧＮＤに接続（即ち車体３に接地）されている。
【００４７】
図１及び図２に示すように、前記通電検知部１４はドアパネル５の内部に配置されている。この通電検知部１４は、電極線２３に電流を供給している。そして、センサ部２１に押圧力等の外力が加えられていない通常の状態では、通電検知部１４から電極線２３に供給される電流は、抵抗器３２を介して電極線２４に流れる。一方、センサ部２１を潰すような外力が加えられると、外力が加えられた部位の中空絶縁体２２が弾性変形するとともに該中空絶縁体２２の弾性変形に伴って電極線２３，２４が撓曲し、電極線２３と電極線２４とが接触して短絡される。すると、通電検知部１４から電極線２３に供給される電流は、抵抗器３２を介さずに電極線２４に流れることになる。従って、例えば、一定の電圧で電極線２３に電流を供給している場合には、電流値が変化するため、通電検知部１４は、このときの電流値の変化を検知することにより、センサ部２１に接触した異物を検知する。そして、通電検知部１４は、この電流値の変化を検知すると、即ち異物検知センサ１３に接触した異物を検知すると、後述のドアＥＣＵ６１に異物検知信号を出力する。尚、センサ部２１に対する外力が取り除かれると、中空絶縁体２２が復元し、電極線２３，２４も復元して非導通状態となる。
【００４８】
また、電動バックドア装置２は、ドアパネル５の内部に前記アクチュエータ６によるドアパネル５の開閉作動を制御するドアＥＣＵ６１を備えている。ドアＥＣＵ６１は、ＲＯＭ（Read only Memory）、ＲＡＭ（Random access Memory）等を備えマイクロコンピュータとしての機能を有するとともに、車両１のバッテリ（図示略）から電源の供給を受けている。また、ドアＥＣＵ６１は、該ドアＥＣＵ６１に電気的に接続された通電検知部１４に電流を供給している。そして、ドアＥＣＵ６１は、操作スイッチ９、位置検出装置８及び通電検知部１４等から入力される各種信号に基づいてアクチュエータ６を制御する。
【００４９】
次に、上記のように構成された電動バックドア装置２の動作を統括的に説明する。
ドアＥＣＵ６１は、操作スイッチ９から開信号が入力されると、ドアパネル５を開作動させるべくアクチュエータ６を駆動する。尚、ドアＥＣＵ６１は、位置検出装置８から入力される位置検出信号に基づいてドアパネル５の回動位置を認識している。本実施形態では、ドアＥＣＵ６１は、位置検出信号のパルス数をカウントし、そのカウント値に基づいてドアパネル５の回動位置を認識している。そして、ドアパネル５が全閉位置に配置されると、ドアＥＣＵ６１はアクチュエータ６を停止する。
【００５０】
一方、操作スイッチ９から閉信号が入力されると、ドアＥＣＵ６１は、ドアパネル５を閉作動させるべくアクチュエータ６を駆動する。そして、ドアパネル５が全閉位置に配置されると、ドアＥＣＵ６１はアクチュエータ６を停止する。尚、ドアパネル５の閉作動中に、異物検知センサ１３のセンサ部２１に異物が接触して同センサ部２１に外力が加えられると、異物検知センサ１３において中空絶縁体２２が弾性変形されることにより電極線２３と電極線２４とが接触して短絡される。その結果、電極線２３に供給する電流の電流値が変化するため、通電検知部１４がドアＥＣＵ６１に異物検知信号を出力する。ドアＥＣＵ６１は、異物検知信号が入力されると、アクチュエータ６を反転させてドアパネル５を所定量だけ開作動させた後にアクチュエータ６を停止する。
【００５１】
次に、本実施形態の異物検知センサの固定構造の作用を説明する。
中空絶縁体２２が湾曲された状態で貼着されることにより同中空絶縁体２２がブラケット１２から浮き上がる虞のある湾曲部１２ｂには、貼着面２２ｅと対向する部分にブラケット側係合部１２ｃが設けられている。一方、中空絶縁体２２においてブラケット１２の接着面１２ａと対向する貼着面２２ｅには、貼着面２２ｅと直交する方向にブラケット側係合部１２ｃと係合するセンサ側係合部２７が設けられている。そして、ブラケット側係合部１２ｃとセンサ側係合部２７とが係合することにより、中空絶縁体２２における湾曲部１２ｂに応じて湾曲された部分は、ブラケット１２に対して貼着面２２ｅと直交する方向に係合される。よって、中空絶縁体２２における湾曲部１２ｂに応じて湾曲された部分が、ブラケット１２から浮き上がることを抑制できる。
【００５２】
上記したように、本実施形態によれば、以下の効果を有する。
（１）中空絶縁体２２が湾曲されることによってブラケット１２から浮き上がって剥離する虞のある湾曲部１２ｂに、ブラケット側係合部１２ｃが設けられている。更に、異物検知センサ１３には、貼着面２２ｅと直交する方向に当該ブラケット側係合部１２ｃと係合するセンサ側係合部２７が設けられている。従って、ブラケット側係合部１２ｃとセンサ側係合部２７とが係合することにより、湾曲部１２ｂ上で異物検知センサ１３が同湾曲部１２ｂから浮き上がることを抑制できるため、湾曲部１２ｂから中空絶縁体２２が剥離することを抑制することができる。
【００５３】
（２）センサ側係合部２７は、両面テープ５１にてブラケット１２に固定される中空絶縁体２２に一体に形成されているため、センサ側係合部２７を設けたことによる部品点数の増加を防ぐことができる。
【００５４】
（３）ブラケット側係合部１２ｃを仮想線Ｌ１を含む位置に設けることにより、本実施形態のようにブラケット側係合部１２ｃの数が少ない場合であっても、湾曲部１２ｂ上で異物検知センサ１３が同湾曲部１２ｂから浮き上がることを効果的に抑制できる。従って、湾曲部１２ｂから中空絶縁体２２が剥離することを効果的に抑制することができる。
【００５５】
（４）センサ側係合部２７は、中空絶縁体２２が両面テープ５１にてブラケット１２に固定される貼着面２２ｅに形成されている。そして、ブラケット側係合部１２ｃは、ブラケット１２における中空絶縁体２２の貼着面２２ｅと対向する部分に形成されている。即ち、ブラケット側係合部１２ｃ及びセンサ側係合部２７は、中空絶縁体２２が両面テープ５１にてブラケット１２に固定された状態において、外部から見え難い位置に形成されている。従って、ブラケット１２及び該ブラケット１２に固定された異物検知センサ１３の見栄えがブラケット側係合部１２ｃ及びセンサ側係合部２７によって損なわれることが抑制される。
【００５６】
尚、上記実施形態は、以下のように変更してもよい。
・仮想線Ｌ１を含む位置に設けられるブラケット側係合部は、上記実施形態のブラケット側係合部１２ｃに限らない。例えば、図８及び図９に示すように構成してもよい。尚、図８及び図９では、上記実施形態と同一の構成に同一の符号を付している。湾曲部１２ｂには、ブラケット１２の幅方向の両側に突出した一対の延設部１２ｆ，１２ｇが設けられている。この延設部１２ｆ，１２ｇは、ブラケット１２の幅方向の両側でそれぞれ湾曲部１２ｂの周方向の中央部であって仮想線Ｌ１を含む位置に形成されている。各延設部１２ｆ，１２ｇは、ブラケット１２の厚さ方向から見た形状が略四角形状をなしている。また、各延設部１２ｆ，１２ｇにおける接着面１２ａ側の面は接着面１２ａと同一平面内に形成されるとともに、各延設部１２ｆ，１２ｇにおける接着面１２ａと反対側の面は、ブラケット１２における接着面１２ａと反対側の面と同一平面内に形成されている。そして、延設部１２ｆにブラケット側係合部１２ｈが形成されるとともに、延設部１２ｇにブラケット側係合部１２ｈと対をなすブラケット側係合部１２ｋが形成されている。ブラケット側係合部１２ｈ，１２ｋは何れも仮想線Ｌ１を含む位置に形成されている。ブラケット側係合部１２ｈは、延設部１２ｆから接着面１２ａと直交する方向に延びた後にブラケット１２の幅方向の中央部側に延びており、略鉤状をなしている。そして、このブラケット側係合部１２ｈの先端部（即ちブラケット側係合部１２ｈにおいてブラケット１２の幅方向の中央部側に延びる部分）は、接着面１２ａと平行に延びる係止爪１２ｍとなっている。同様に、ブラケット側係合部１２ｋは、延設部１２ｇから接着面１２ａと直交する方向に延びた後にブラケット１２の幅方向の中央部側に延びており、略鉤状をなしている。そして、このブラケット側係合部１２ｋの先端部（即ちブラケット側係合部１２ｋにおいてブラケット１２の幅方向の中央部側に延びる部分）は、接着面１２ａと平行に延びる係止爪１２ｎとなっている。
【００５７】
また、ブラケット側係合部１２ｈ，１２ｋと係合するセンサ側係合部７１，７２は、中空絶縁体２２における湾曲部１２ｂ上に配置される部分に一体に形成されている。尚、図８及び図９に示す例では、中空絶縁体２２は外側絶縁体２２ｂのみから構成されている。更に、この中空絶縁体２２の内側（外側絶縁体２２ｂの内側）に保持された２本の電極線２３，２４は、中空絶縁体２２の長手方向と直交する方向に対向し同中空絶縁体２２の長手方向に沿って平行に延びている。そして、センサ側係合部７１，７２は、中空絶縁体２２の外周面から貼着面２２ｅの幅方向の両側に突出している。また、センサ側係合部７１の先端部には、貼着面２２ｅの正面側に突出した接触部７１ａが一体に設けられるとともに、センサ側係合部７２の先端部には、貼着面２２ｅの正面側に突出した接触部７２ａが一体に設けられている。そして、ブラケット１２に異物検知センサ１３を固定するときには、湾曲部１２ｂの形状に合わせて中空絶縁体２２を湾曲させながら、ブラケット１２の長手方向からセンサ側係合部７１をブラケット側係合部１２ｈの係止爪１２ｍと延設部１２ｆとの間に挿入する。更に、ブラケット１２の長手方向からセンサ側係合部７２をブラケット側係合部１２ｋの係止爪１２ｎと延設部１２ｇとの間に挿入する。係止爪１２ｍと延設部１２ｆとの間に挿入されたセンサ側係合部７１は、接触部７１ａが延設部１２ｆに接触するとともに、貼着面２２ｅと直交する方向に係止爪１２ｍと係合する。同様に、係止爪１２ｎと延設部１２ｇとの間に挿入されたセンサ側係合部７２は、接触部７２ａが延設部１２ｇに接触するとともに、貼着面２２ｅと直交する方向に係止爪１２ｎと係合する。このようにしても上記実施形態の（１）〜（３）と同様の効果を得ることができる。
【００５８】
尚、図１０に示すように、センサ側係合部７１，７２に切込み部７３を設けてもよい。各センサ側係合部７１，７２に設けられた切込み部７３は、センサ側係合部７１，７２の先端から基端に向かって貼着面２２ｅの幅方向に切り込まれており、センサ側係合部７１，７２を厚さ方向に貫通している。また、各切込み部７３は、貼着面２２ｅの幅方向の中央部に近づくに連れて該切込み部７３の幅（切込み部７３における中空絶縁体２２の長手方向に沿った方向の長さ）が狭くなる三角形状をなしている。このようにすると、湾曲部１２ｂの形状に応じて中空絶縁体２２が湾曲された場合、センサ側係合部７１，７２は、中空絶縁体２２の湾曲に伴って切込み部７３が中空絶縁体２２の長手方向に開く若しくは閉じることにより、中空絶縁体２２の湾曲に追従し易くなる。従って、センサ側係合部７１，７２を、中空絶縁体２２の湾曲に伴って湾曲させ易くなるため、異物検知センサ１３をより容易にブラケット１２に固定することができる。
【００５９】
また、図１１及び図１２に示すように構成してもよい。尚、図１１及び図１２では、上記実施形態と同一の構成に同一の符号を付している。湾曲部１２ｂには、ブラケット１２の幅方向の両側に突出した一対の突出部１２ｐ，１２ｑが設けられている。この突出部１２ｐ，１２ｑは、ブラケット１２の幅方向の両側でそれぞれ湾曲部１２ｂの周方向の中央部であって仮想線Ｌ１を含む位置に形成されている。また、各突出部１２ｐ，１２ｑにおける接着面１２ａ側の面は接着面１２ａと同一平面内に形成されるとともに、各突出部１２ｐ，１２ｑにおける接着面１２ａと反対側の面は、ブラケット１２における接着面１２ａと反対側の面と同一平面内に形成されている。そして、突出部１２ｐにブラケット側係合部１２ｓが形成されるとともに、突出部１２ｑにブラケット側係合部１２ｓと対をなすブラケット側係合部１２ｔが形成されている。ブラケット側係合部１２ｓ，１２ｔは何れも仮想線Ｌ１を含む位置に形成されている。ブラケット側係合部１２ｓは、突出部１２ｐから接着面１２ａと直交する方向に延びた後にブラケット１２の幅方向の中央部側に延びており、略鉤状をなしている。そして、このブラケット側係合部１２ｓの先端部（即ちブラケット側係合部１２ｓにおいてブラケット１２の幅方向の中央部側に延びる部分）は、接着面１２ａと平行に延びる係合爪１２ｕとなっている。同様に、ブラケット側係合部１２ｔは、突出部１２ｑから接着面１２ａと直交する方向に延びた後にブラケット１２の幅方向の中央部側に延びており、略鉤状をなしている。そして、このブラケット側係合部１２ｔの先端部（即ちブラケット側係合部１２ｔにおいてブラケット１２の幅方向の中央部側に延びる部分）は、接着面１２ａと平行に延びる係合爪１２ｖとなっている。一方のブラケット側係合部１２ｓの係合爪１２ｕの先端と、他方のブラケット側係合部１２ｔの係合爪１２ｖの先端との間の距離は、貼着面２２ｅの幅よりも狭くなっている。
【００６０】
また、ブラケット側係合部１２ｓ，１２ｔと係合するセンサ側係合部８１，８２は、中空絶縁体２２における湾曲部１２ｂ上に配置される部分に一体に形成されている。尚、図１１及び図１２に示す例では、中空絶縁体２２は外側絶縁体２２ｂのみから構成されている。更に、この中空絶縁体２２の内側（外側絶縁体２２ｂの内側）に保持された２本の電極線２３，２４は、中空絶縁体２２の長手方向と直交する方向に対向し同中空絶縁体２２の長手方向に沿って平行に延びている。そして、センサ側係合部８１，８２は、中空絶縁体２２における湾曲部１２ｂ上に配置される部分の幅方向（貼着面２２ｅの幅方向に同じ）の両側面に凹設された凹部である。センサ側係合部８１における中空絶縁体２２の長手方向の長さは、前記係合爪１２ｕにおけるブラケット１２の長手方向の長さ以上の長さとなっている。更に、センサ側係合部８１における貼着面２２ｅと直交する方向の幅は、係合爪１２ｕにおけるブラケット１２の厚さ方向の厚さと略等しく形成されている。また、センサ側係合部８２における中空絶縁体２２の長手方向の長さは、前記係合爪１２ｖにおけるブラケット１２の長手方向の長さ以上の長さとなっている。更に、センサ側係合部８２における貼着面２２ｅと直交する方向の幅は、係合爪１２ｖにおけるブラケット１２の厚さ方向の厚さと略等しく形成されている。そして、ブラケット１２に異物検知センサ１３を固定するときには、湾曲部１２ｂの形状に合わせて中空絶縁体２２を湾曲させるとともに、同中空絶縁体２２を弾性変形させながらブラケット側係合部１２ｓとブラケット側係合部１２ｔとの間に配置する。更に、係合爪１２ｕをセンサ側係合部８１に挿入するとともに、係合爪１２ｖをセンサ側係合部８２に挿入する。これにより、ブラケット側係合部１２ｓの係合爪１２ｕとセンサ側係合部８１とが、また、ブラケット側係合部１２ｔの係合爪１２ｖとセンサ側係合部８２とがそれぞれ貼着面２２ｅと直交する方向に係合する。このようにしても上記実施形態の（１）〜（３）と同様の効果を得ることができる。
【００６１】
また、図８及び図９に示す例では、ブラケット１２には、同ブラケット１２上に配置された中空絶縁体２２における貼着面２２ｅの幅方向の両側にブラケット側係合部１２ｈ，１２ｋが設けられている。しかしながら、ブラケット側係合部１２ｈ，１２ｋのうち何れか一方のみをブラケット１２に設けてもよい。この場合、ブラケット１２上に配置された中空絶縁体２２における貼着面２２ｅの幅方向の両側のうちブラケット１２が固定されるドアパネル５の外周縁から遠い側に位置するブラケット側係合部１２ｈのみをブラケット１２に設けてもよい。即ち、ブラケット１２の幅方向の両端部のうちブラケット１２が固定されるドアパネル５の外周縁から遠い方の端部に位置するブラケット側係合部１２ｈのみをブラケット１２に設けてもよい。この場合、中空絶縁体２２には、ブラケット側係合部１２ｈと係合するセンサ側係合部７１のみが設けられる。このようにすると、ブラケット１２が固定されるドアパネル５の周縁部に近接する異物が、ブラケット側係合部１２ｈ若しくはセンサ側係合部７１に接触することを抑制できる。従って、異物検知センサ１３による異物の感知感度を維持したまま湾曲部１２ｂ上で異物検知センサ１３が同湾曲部１２ｂから浮き上がることを抑制できる。その結果、異物検知センサ１３による異物の感知感度を維持したまま湾曲部１２ｂから中空絶縁体２２が剥離することを抑制することができる。このことは、図１０に示す例についても同様である。更に、同様に、図１１及び図１２に示す例においても、ブラケット側係合部１２ｓ，１２ｔのうち何れか一方のみをブラケット１２に設けてもよい。そして、ブラケット１２上に配置された中空絶縁体２２における貼着面２２ｅの幅方向の両側のうちブラケット１２が固定されるドアパネル５の外周縁から遠い側に位置するブラケット側係合部１２ｓのみをブラケット１２に設けると、上記と同様の効果を得ることができる。
【００６２】
また、上記実施形態及び図８乃至図１２に示した例では、ブラケット側係合部１２ｃ，１２ｈ，１２ｋ，１２ｓ，１２ｔは、何れも仮想線Ｌ１を含む位置に形成されている。しかしながら、ブラケット側係合部１２ｃ，１２ｈ，１２ｋ，１２ｓ，１２ｔは、湾曲部１２ｂに形成されるのであれば、仮想線Ｌ１からずれた位置に形成されてもよい。
【００６３】
・上記実施形態では、ブラケット側係合部１２ｃは、湾曲部１２ｂに１つのみ設けられている。しかしながら、湾曲部１２ｂにおけるブラケット１２の長手方向の複数箇所にブラケット側係合部１２ｃを設けてもよい。例えば、湾曲部１２ｂにおける仮想線Ｌ１の両側にそれぞれブラケット側係合部１２ｃを設けてもよい。より詳しくは、湾曲部１２ｂにおける仮想線Ｌ１の両側であって同湾曲部１２ｂの周方向の両端部（図３において湾曲部１２ｂの両端の二点鎖線を含む位置）にそれぞれブラケット側係合部１２ｃを設けてもよい。一般的に、湾曲部１２ｂに貼着された中空絶縁体２２は、湾曲部１２ｂの周方向の端部付近から剥がれやすい。そして、湾曲部１２ｂにおける仮想線Ｌ１の両側にそれぞれブラケット側係合部１２ｃを設けると、湾曲部１２ｂの周方向の両端部に近いところにブラケット側係合部１２ｃを設けることができる。そして、湾曲部１２ｂの周方向の両端部に近いところでブラケット側係合部１２ｃとセンサ側係合部２７とが貼着面２２ｅと直交する方向に係合することになるため、湾曲部１２ｂ上で異物検知センサ１３が同湾曲部１２ｂから浮き上がることをより効果的に抑制できる。従って、湾曲部１２ｂから中空絶縁体２２が剥離することをより効果的に抑制することができる。
【００６４】
・上記実施形態では、センサ側係合部２７は、中空絶縁体２２に一体に形成されている。しかしながら、センサ側係合部７２は、中空絶縁体２２とは別体で形成されて異物検知センサ１３に組み付けられるものであってもよい。
【００６５】
・中空絶縁体２２が湾曲して貼着されることにより同中空絶縁体２２が剥離する虞のある湾曲部１２ｂがブラケット１２の長手方向に複数ある場合には、複数の湾曲部１２ｂのうち２つ以上の湾曲部１２ｂにブラケット側係合部１２ｃを設けてもよい。この場合、ブラケット１２に設けられた複数のブラケット側係合部１２ｃに係合する複数のセンサ側係合部２７が中空絶縁体２２に設けられる。
【００６６】
・上記実施形態では、中空絶縁体２２の内部には、２本の電極線２３，２４が保持されている。しかしながら、中空絶縁体２２の内部に保持される電極線の本数はこれに限らず、複数本であればよい。例えば、中空絶縁体２２は、４本の電極線を保持するものであってもよい。この場合、４本の電極線は、２本ずつの電極線が直列に接続されるとともに、直列に接続された２本ずつの電極線が抵抗器３２を介して直列に接続される。
【００６７】
・上記実施形態では、各電極線２３，２４は、導電性細線を撚り合わせて形成され可撓性を有する中心電極２５と、導電性及び弾性を有し中心電極２５の外周を被覆する円筒状の導電被覆層２６とから構成されている。しかしながら、各電極線２３，２４の構成はこれに限らない。例えば、各電極線２３，２４は、可撓性を有する１本の金属線であってもよい。
【００６８】
・上記実施形態では、貼着面２２ｅとブラケット１２との間に介在されて異物検知センサ１３をブラケット１２に固定する接着部材は、両面テープ５１である。しかしながら、この接着部材は、両面テープ５１に限らない。例えば、接着部材として接着剤を用いてもよい。この場合、接着剤を貼着面２２ｅ若しくはブラケット１２の接着面１２ａに塗布し、当該接着剤によって異物検知センサ１３をブラケット１２に固定する。
【００６９】
・上記実施形態では、異物検知センサ１３は、ドアパネル５の周縁部に配置されている。しかしながら、異物検知センサ１３は、ドアパネル５の周縁部と対向する後部開口部４の周縁部に配置されてもよい。また、異物検知センサ１３は、電動バックドア装置２に備えられる異物検知装置１１に限らず、ドアパネルをスライド移動させて車両の側面に設けられた乗降口を開閉する電動スライドドア装置に備えられる異物検知装置に使用されてもよい。また、異物検知センサ１３は、モータ等の駆動力によってドアパネルを移動させて開閉作動させるドア開閉装置に備えられる異物検知装置に使用される以外に、異物の接触を検知するための装置に使用されてもよい。
【００７０】
上記実施形態及び上記各変更例から把握できる技術的思想を以下に記載する。
（イ）請求項１乃至請求項４の何れか１項に記載の異物検知センサの固定構造において、前記センサ側係合部には、前記貼着面の幅方向に切り込まれた切込み部が設けられていることを特徴とする異物検知センサの固定構造。
【００７１】
この構成によれば、湾曲部の形状に応じて中空絶縁体が湾曲された場合、センサ側係合部は、中空絶縁体の湾曲に伴って切込み部が中空絶縁体の長手方向に開く若しくは閉じることにより、中空絶縁体の湾曲に追従し易くなる。従って、センサ側係合部を、中空絶縁体の湾曲に伴って湾曲させ易くなるため、異物検知センサをより容易にブラケットに固定することができる。
【符号の説明】
【００７２】
１…車両、５…ドアパネル、１２…ブラケット、１２ｂ…湾曲部、１２ｃ，１２ｈ，１２ｋ，１２ｓ，１２ｔ…ブラケット側係合部、１３…異物検知センサ、２２…中空絶縁体、２２ｅ…貼着面、２３，２４…電極線、２７，７１，７２，８１，８２…センサ側係合部、５１…接着部材としての両面テープ、Ｌ１…仮想線。
【図１】
2014175151.tif 000003
【図２】
2014175151.tif 000004
【図３】
2014175151.tif 000005
【図４】
2014175151.tif 000006
【図５】
2014175151.tif 000007
【図６】
2014175151.tif 000008
【図７】
2014175151.tif 000009
【図８】
2014175151.tif 000010
【図９】
2014175151.tif 000011
【図１０】
2014175151.tif 000012
【図１１】
2014175151.tif 000013
【図１２】
2014175151.tif 000014